(57)【特許請求の範囲】
【請求項１】
可視域の低コヒーレンス光を使用して、ファンデーションの化粧膜が形成されている化粧肌の光干渉断層撮影画像（以下、ＯＣＴ画像という）を、化粧肌の内部散乱の干渉信号の画像を含めて取得し、ＯＣＴ画像に基づいて化粧膜の付着状態又は光学特性、及び化粧肌内部の深さ方向の光学特性を評価する化粧肌の評価方法であって、少なくともＲ光を含む、可視域の低コヒーレンス光として波長の異なる複数の低コヒーレンス光を使用し、それにより取得された各波長のＯＣＴ画像を対比し、ファンデーションの化粧膜の付着状態又は光学特性、及び化粧肌内部の光学特性を評価する化粧肌の評価方法。
【請求項２】
可視域の低コヒーレンス光の光源として、赤（Ｒ）、緑（Ｇ）又は青（Ｂ）のＬＥＤ光源を使用する請求項１記載の化粧肌の評価方法。
【請求項３】
化粧膜の付着状態又は化粧肌内部の光学特性を定量する請求項１又は２記載の化粧肌の評価方法。
【請求項４】
化粧肌の表面から深さ１００μｍまでの内部散乱光の干渉信号の画像をＯＣＴ画像に含める請求項１〜３のいずれかに記載の化粧肌の評価方法。
【請求項５】
各波長のＯＣＴ画像同士の明領域の現れ方の違いにより、化粧肌内部に存在する色素の分布を評価する請求項１記載の化粧肌の評価方法。
【請求項６】
ファンデーションの化粧膜が形成されている化粧肌のＯＣＴ画像を形成するＯＣＴ画像形成装置であって、ＯＣＴ画像の形成に使用する低コヒーレンス光の光源として、少なくともＲ光のＬＥＤ光源を含む、可視域で波長の異なる複数のＬＥＤ光源を切り替えて使用できるように備え、各波長のＯＣＴ画像を一画面に表示するディスプレイを備える化粧肌評価用ＯＣＴ画像形成装置。
【請求項７】
低コヒーレンス光の光源が、赤（Ｒ）、緑（Ｇ）又は青（Ｂ）のＬＥＤ光源である請求項６記載の化粧肌評価用ＯＣＴ画像形成装置。
【請求項８】
化粧肌の表面から深さ１００μｍまでの内部散乱光の干渉信号の画像をＯＣＴ画像に含める請求項６又は７に記載の化粧肌評価用ＯＣＴ画像形成装置。
【発明の詳細な説明】
【技術分野】
【０００１】
本発明は、光干渉断層撮影法（Optical Coherence Tomography (以下、ＯＣＴという)）によるＯＣＴ画像により、化粧肌表面の化粧膜の付着状態と化粧肌内部の光学特性を同時に評価することを可能とする化粧肌の評価方法及びそれに用いる評価装置に関する。
【背景技術】
【０００２】
ファンデーション等のメイクアップ化粧料は、皮膚表面の皮丘、皮溝、毛穴等の表面凹凸や色ムラを補正し、所望の化粧肌色を得るために顔に塗布して使用される。化粧料塗布後の見た目の仕上がりは、化粧膜そのものの色や、皮膚上の化粧膜の分布や厚みに代表される化粧膜の付着状態だけでなく、化粧膜の下の皮膚そのものの光学特性にも大きく影響される。皮膚の光学特性は、皮膚の表皮等に存在する色素の種類や濃度等が関係するだけでなく、皮膚内に侵達する光の波長にも依存する。そのため、化粧膜の分布や厚みに代表される化粧膜の付着状態が、皮膚を含めた化粧肌全体の光学特性を変化させ、化粧肌の見た目の仕上がりに影響するといえる。
【０００３】
ここで、化粧膜の分布は、デジタルマイクロスコープで観察することができる。化粧膜の厚みはＯＣＴ計測で求めることができる（特許文献１）。ＯＣＴ計測は、低コヒーレンス光を使用し、マイケルソン干渉計を利用して、屈折率の異なる層の界面反射に起因する干渉光の光強度を検出することで、光軸方向の層構造を非破壊、非接触で計測する方法である。皮膚の計測では、従来、波長800〜1500ｎｍの近赤外の低コヒーレンス光が使用されている。
また、化粧肌の色は分光色差計で求めることができる。
【０００４】
しかしながら、化粧膜の付着状態や化粧肌内部の深さ方向の光学特性を同時に計測することはできず、それらが化粧肌全体の見えにどのように影響しているかを評価することが困難となっている。
【先行技術文献】
【特許文献】
【０００５】
【特許文献１】特開平１０−１５３５５０号公報
【発明の概要】
【発明が解決しようとする課題】
【０００６】
上述の従来技術に対し、本発明は、化粧膜の分布や厚さという付着状態と、化粧膜の下にある皮膚内部の深さ方向の光学特性を同時に評価し、それらが化粧肌の見えにどのように影響しているかを評価できるようにすることを目的とする。
【課題を解決するための手段】
【０００７】
本発明者は、ＯＣＴ計測において、低コヒーレンス光として、従来の近赤外域の低コヒーレンス光に代えて可視域の低コヒーレンス光を使用すると、ＯＣＴ画像の横方向ならびに深さ方向の分解能が高まり、皮膚表面又は内部の界面情報を詳細に得られ、化粧膜の厚さ等を計測できるなどにより化粧膜の付着状態を評価できるだけでなく、皮膚内部の層の界面からの反射光が皮膚内部の組織により散乱、吸収されて計測され、皮膚内部の深さ方向のどこで散乱、吸収が生じているかという光学情報を得られるので、化粧膜や皮膚内部の色素等が皮膚内部の光学特性に及ぼす影響を評価できること、さらに、可視域の低コヒーレンス光として、波長の異なる複数の低コヒーレンス光を使用し、各波長のＯＣＴ画像を撮像してそれらを対比すると、皮膚内部の光学特性をより正確に得られるので好ましいこと、したがって、このＯＣＴ画像によれば、化粧膜の付着状態と化粧肌内部の光学特性を同時に評価できることを見出した。
【０００８】
即ち、本発明は、可視域の低コヒーレンス光を使用して化粧肌のＯＣＴ画像を、化粧肌の内部散乱の干渉信号の画像を含めて取得し、ＯＣＴ画像に基づいて化粧膜の付着状態及び化粧肌内部の深さ方向の光学特性を評価する化粧肌の評価方法を提供する。
【０００９】
また、本発明は、上述の評価方法に使用する評価装置として、化粧肌のＯＣＴ画像を形成するＯＣＴ画像形成装置であって、ＯＣＴ画像の形成に使用する低コヒーレンス光の光源として、可視域のＬＥＤ光源を備える化粧肌評価用ＯＣＴ画像形成装置を提供する。
【発明の効果】
【００１０】
本発明によれば、化粧肌のＯＣＴ画像を取得するので、化粧膜の分布や厚さという化粧膜の付着状態を評価することができる。また、このＯＣＴ画像は可視域で取得されるので、化粧膜の分布や厚さを詳細に評価することができ、さらに、皮膚内部の深さ方向にどこで散乱、吸収がおきているかという深さ方向の光学特性も評価することが可能となり、化粧膜や皮膚内部の色素等が皮膚内部の光学特性に及ぼす影響を評価することが可能となる。したがって、本発明によれば、化粧膜の付着状態と皮膚内部の光学特性が化粧肌全体の見えに及ぼす影響を、それらの相互の関連性を含めて評価することが可能となる。
【図面の簡単な説明】
【００１１】
【図１】図１は、本発明の一実施例の化粧肌評価用ＯＣＴ画像形成装置の装置構成図である。
【図２】図２は、ＲＧＢの各波長でＯＣＴ計測した干渉信号のプロファイルである。
【図３】図３は、図２のＯＣＴ計測に使用したＲＧＢ各光源のスペクトルである。
【図４】図４は、皮膚レプリカ又は化粧肌のＲ光源で得られたＯＣＴ画像である。
【図５】図５は、ＲＧＢ各光源で得られた化粧肌のＯＣＴ画像である。
【図６】図６は、ＯＣＴ計測によるＲＧＢの各波長での反射率を、分光測色計による反射率に重ねた図である。
【図７】図７は、参考試料の構成図である。
【図８】図８は、参考試料のＯＣＴ画像である。
【図９】図９は、各色セロハンフィルムの分光透過率曲線である。
【図１０】図１０は、パウダーファンデーション塗布前の皮膚レプリカと塗布後の皮膚レプリカの三次元ＯＣＴ画像である。
【図１１】図１１は、パウダーファンデーション塗布前の皮膚レプリカと塗布後の皮膚レプリカの二次元ＯＣＴ画像である。
【図１２】図１２は、パウダーファンデーション塗布前の２０歳代皮膚レプリカと塗布後の同レプリカの二次元ＯＣＴ画像である。
【図１３】図１３は、パウダーファンデーション塗布前の５０歳代皮膚レプリカと塗布後の同レプリカの二次元ＯＣＴ画像である。
【図１４】図１４は、３０歳代皮膚レプリカに２種のパウダーファンデーションの化粧膜を形成した場合の干渉信号の計測深さと干渉信号の積算強度との関係図である。
【図１５】図１５は、５０歳代皮膚レプリカに２種のパウダーファンデーションの化粧膜を形成した場合の干渉信号の計測深さと干渉信号の積算強度との関係図である。
【図１６】図１６は、パウダーファンデーションＰの塗布前の皮膚レプリカの表面凹凸の深さと塗布後の同レプリカの表面凹凸を示す２次元ＯＣＴの計測図である。
【図１７】図１７は、パウダーファンデーションＱの塗布前の皮膚レプリカの表面凹凸の深さと塗布後の同レプリカの表面凹凸を示す２次元ＯＣＴの計測図である。
【発明を実施するための形態】
【００１２】
以下、図面を参照しつつ本発明を詳細に説明する。図１は、本発明の一実施例の化粧肌評価用ＯＣＴ画像形成装置１の構成図である。
【００１３】
この化粧肌評価用ＯＣＴ画像形成装置１は、化粧肌のＯＣＴ画像を形成する装置であって、可視域の低コヒーレンス光源２としてＲ（中心波長６３７ｎｍ）、Ｇ（中心波長５２３ｎｍｍ）、Ｂ（中心波長４４５ｎｍ）の各ＬＥＤを備え、また、参照用に近赤外の低コヒーレンス光源３として中心波長８４６ｎｍのＳＬＤを備えており、異なる波長の低コヒーレンス光を、適宜切り替えて使用できるようにしている。光源が切り替え可能になっている点を除き、ＯＣＴの計測あるいはＯＣＴ画像の形成自体の装置構成は、E.Beaurepaire, A.C.Boccara, M.Lebec, L.Blanchot, H.Saint-Jalmes, Full-field optical coherence microspopy, Optics Letters 23, 244-246(1998)に記載されているものと同様であり、光源２又は光源３からの光が光ファイバー４で導光され、変換光学系５で一様強度平面波に変換され、ビームスプリッター６で１：１に分岐される。対物レンズ７、８にはそれぞれ試料Ｓ、参照鏡９が当接し、光源２または光源３からの低コヒーレンス光が試料Ｓと参照鏡９に入射される。試料Ｓは試料台１０に載置され、試料台１０が試料Ｓの深さ方向（光軸方向Ｌ1）に移動可能となっている。また、参照鏡９も光軸方向Ｌ2に移動可能となっている。
【００１４】
試料台１０の上方には、試料Ｓからの反射光と参照鏡９からの反射光を検出する検出器１１としてＣＣＤカメラが設けられている。試料Ｓからの反射光と参照鏡８からの反射光の光路差がゼロの場合、検出器１１では、それらの干渉により強い干渉信号が検出されるが、光路差にずれがあると干渉が次第に弱くなり、干渉信号の強度はゼロとなる。
【００１５】
検出器１１と試料台１０にはパーソナルコンピュータ１２が接続され、パーソナルコンピュータ１２にはディスプレイが接続されている。パーソナルコンピュータ１２は、試料台１０の位置を制御する。また、パーソナルコンピュータ１２は、検出器１１で検出された干渉信号強度と試料台１０の位置とに基づき、干渉信号の深さと干渉信号強度の関係を示す干渉信号のプロファイルや、二次元又は三次元のＯＣＴ画像を作製する。
【００１６】
ＯＣＴ計測では、試料Ｓからの反射光と参照鏡９からの反射光によって干渉が生じる深さ方向の長さがコヒーレンス長Ｌcと称され、このコヒーレンス長Ｌcが深さ方向の分解能となる。
【００１７】
コヒーレンス長（深さ方向の分解能）Ｌcは、理論的に次式で示される。
【００１８】
【数１】
0005978599.tif 000002
（式中、Ｌc：コヒーレンス長（深さ方向の分解能）
Δλ：低コヒーレンス光のスペクトル幅（半値幅）
λ0：低コヒーレンス光の中心波長  ）
【００１９】
また、横方向の分解能Δｘは、次式で示される。
【００２０】
【数２】
0005978599.tif 000003
（式中、Δｘ：水平方向の分解能
ＮＡ：対物レンズの開口数）
【００２１】
本実施例の化粧肌評価用ＯＣＴ画像形成装置１では、低コヒーレンス光として、従前の近赤外の低コヒーレンス光に対して、可視域の低コヒーレンス光を使用するので、深さ方向の分解能Ｌcと水平方向の分解能Δｘの双方が向上することがわかる。
【００２２】
図２は、この化粧肌評価用ＯＣＴ画像形成装置１の深さ方向の分解能あるいは横方向の分解能と、低コヒーレンス光の波長との関係を確認するために、ＲＧＢの各波長の光源を用いて試料ＳをＯＣＴ計測した場合の干渉信号のプロファイルであり、図３はＲＧＢ各光源のスペクトルである。なお、このＯＣＴ計測において、試料Ｓとしては、平面鏡を使用した。
【００２３】
表１は、図２から得られたスペクトル幅（半値全幅）、深さ方向分解能及び横方向分解能の結果である。
【００２４】
【表１】
0005978599.tif 000004
【００２５】
従来ＯＣＴ計測で使用されている近赤外の低コヒーレンス光（中心波長１３００ｎｍ、スペクトル幅70ｎｍ）の深さ方向の分解能は、約７．５μｍ程度であるため、表１から、可視域の低コヒーレンス光を使用することにより、ＯＣＴ画像の分解能が向上することが確認できる。なお、表１においてＧ光がＢ光よりも分解能に優れているのは、スペクトル幅が大きいためであり、同様に、従来の近赤外光がＲ光よりも分解能に優れているのもスペクトル幅が大きいためである。
【００２６】
本発明の化粧肌の評価方法は、本発明のＯＣＴ画像形成装置を用いて化粧肌の二次元又は三次元のＯＣＴ画像を可視域の低コヒーレンス光を使用して形成し、ＯＣＴ画像に現れた明領域ないし暗領域の分布、光軸方向（深さ方向）の光の侵達の程度、拡散状態などの光学特性に基づき、化粧膜の付着状態と化粧肌内部の光学特性を計測し、化粧肌を評価する方法である。
【００２７】
ここで、化粧肌としては、粉末状、クリーム状又は液状のファンデーション、化粧下地、コンシーラ、白粉、紫外線防止剤、アイシャドー等の化粧膜が形成されている皮膚をあげることができる。皮膚は天然のものでも人工的に作製したものでもよい。
【００２８】
本発明の評価方法でＯＣＴ画像を形成する低コヒーレンス光の可視域としては、例えば、Ｒ光（中心波長６３７ｎｍ）、Ｇ光（中心波長５２３ｎｍ）、Ｂ光（中心波長４４５ｎｍ）を使用する。Ｒ光は、肌色の赤みの影響を受け、ファンデーション等に一般に含まれている顔料の影響も受けやすいため、使用することが好ましい。Ｇ光は、人の目の感度が最も高い波長であり、シミ、ソバカス、毛穴といった素肌と化粧肌の視認性に影響を及ぼすと考えられるため、使用することが好ましい。Ｂ光は、ファンデーション等に含まれている紫外線吸収剤の影響を受けやすいので、使用することが好ましい。
【００２９】
可視域の低コヒーレンス光は、計測の目的に応じて、単独の波長のみを使用してもよいが、各波長での化粧肌内部の光学特性が未知の場合には、複数の波長を使用して各波長でＯＣＴ画像を対比することにより化粧肌を評価することが好ましい。これは、後述するように化粧肌内部の組織には、低コヒーレンス光の波長によって検出されるものとされないものがあるため、単独の波長に基づいて化粧肌内部の光学特性を評価すると、組織が存在するにもかかわらず、組織が存在しない空洞の部分であると誤判定するおそれがあるからである。波長の異なる複数のＯＣＴ画像を、パーソナルコンピュータ１２のディスプレイの一画面に表示できるようにすると、それらの対比が容易となるので好ましい。
【００３０】
また、本発明の評価方法で評価する化粧膜の付着状態としては、化粧膜の厚み、化粧膜の分布、化粧膜に粉体が含まれる場合における粉体分布などをあげることができ、また、化粧肌内部の光学特性に関しては、化粧肌内部で特定の波長域の光を散乱させる組織の位置、散乱の程度などをあげることができる。
【００３１】
本発明の評価方法は、例えば、次のように行われる。図４は、５０歳代女性の頬部の皮膚をウレタンに転写したレプリカ（同図（ａ））、レプリカに化粧料として化粧下地のみを塗布量約２ｍｇ／ｃｍ2で塗布した化粧肌（同図（ｂ））、レプリカにパウダーファンデーションのみを塗布量約１ｍｇ／ｃｍ2で塗布した化粧肌（同図（ｃ））、レプリカに化粧下地とパウダーファンデーションを順次塗布した化粧肌（同図（ｄ））を、それぞれ上述の化粧肌評価用ＯＣＴ画像形成装置１においてＲ光源（中心波長６３７ｎｍ）を使用して得た深さ方向の二次元のＯＣＴ画像である。ここで下地化粧料およびパウダーファンデーションの化粧膜は、人が下地化粧料およびパウダーファンデーションを顔に塗布する時の圧力を計測し、それと同等の加圧下で塗布することにより形成した。また、レプリカとしては、皮膚の表面凹凸が転写された透明ウレタンシート層Ａ1と、その下に積層された肌色ウレタンシート層Ａ2の２層構造のものを使用した。この透明ウレタンシートＡ1層は角質層に対応し、肌色ウレタンシート層Ａ2は表皮に対応する。（ａ）から、透明ウレタンシート層Ａ1と肌色ウレタンシート層Ａ2の２層構造が確認できる。また、（ｂ）、（ｃ）から、化粧下地Ｂ１又はパウダーファンデーションＢ2の塗布により、レプリカの表面凹凸の凹部が滑らかになっていることがわかる。したがって、本発明によれば、化粧膜の厚みや分布等の化粧膜の付着状態を計測し、評価できることがわかる。
【００３２】
さらに、（ｄ）の化粧下地とパウダーファンデーションの双方を塗り重ねた化粧膜Ｂ3によれば、それらのいずれか一方を塗布した場合（（ｂ）、（ｃ））に比して、Ｒ光がレプリカ内部に深く侵達し、化粧膜の表面から深さ１００μｍまでの深さ、特に深さ０〜５０μｍの範囲で強く散乱していることがわかる。したがって、本発明によれば、化粧下地やファンデーション等の化粧膜により、特に、化粧下地とファンデーションの双方を塗り重ねて形成される化粧膜により皮膚内部に光が侵達する深さを計測することができ、また、皮膚内部における散乱状態を、例えば、深さ方向の特定の計測範囲における干渉信号の積算強度として計測し、評価することができる。
【００３３】
図５は、図４（ｄ）と同様に、化粧下地とパウダーファンデーションの双方を塗り重ねた化粧膜を有するレプリカの深さ方向の二次元のＯＣＴ画像を形成するにあたり、ＲＧＢの各光源を順次切り替えることにより得たＯＣＴ画像である。同図（ａ）（ｂ）（ｃ）の各図において、明るい薄い層が化粧膜であり、その下の灰色の層が、レプリカを形成しているウレタンシートである。（ａ）のＲ光のＯＣＴ画像は、（ｂ）のＧ光のＯＣＴ画像や（ｃ）のＢ光のＯＣＴ画像に比して化粧膜が明るく、厚く見え、また、皮膚内部も明るく、より深部まで光が侵達し、散乱していることがわかる。このように本発明によれば、光の侵達の程度や散乱の程度の違いを各波長の依存性として計測することができる。これにより、この化粧膜は皮膚内部にＲ光を侵達させやすく、皮膚内部はＲ光を散乱する光学的特性を有し、化粧肌の見た目は、Ｒ光の散乱の影響を強く受けていると評価することができる。
【００３４】
なお、図５（ａ）のＲ光によるＯＣＴ画像で化粧膜が厚く見え、皮膚内部が明るく見えるのは、単にＲ光の方がＧ光やＢ光よりも深部方向の解像度が低いから化粧膜の明るい部分がぼやけて広く見えているのではなく、化粧膜がＲ光を皮膚内部により多く侵達させ、皮膚内の組織によりＲ光が散乱され、射出されていることによるものである。このことは、図６のグラフから確認することができる。
【００３５】
即ち、図６は、上述のＲＧＢの各ＯＣＴ計測において、干渉信号の深さと干渉信号強度のプロファイルから、化粧膜の表面の位置を特定し、表面から深さ方向に２０μｍの位置までの干渉信号強度の積分値を求め、Ｒ光（６３７ｎｍ）の積分値を規準としたときのＧ光（５２３ｎｍ）とＢ光（４４５ｎｍ）の積分値をＯＣＴ計測による反射率として求め、Ｒ光でのＯＣＴ計測による反射率が分光測色計で計測した分光反射率と一致するようにしてＯＣＴ計測による反射率と分光測色計による反射率とを重ねたものである。同図から、Ｇ光やＢ光では、ＯＣＴ計測による反射率が、分光測色計で計測された反射率に比して小さいことがわかる。化粧膜の厚さは約１５μｍであるから、深さ２０μｍまでの皮膚内部に、Ｒ光よりも、Ｇ光やＧ光を吸収する光学特性の物質が存在するために、Ｇ光やＢ光ではＯＣＴ計測による反射率が低下していると考えられる。より具体的には、パウダーファンデーションでは、着色顔料中での黄色粉体の割合が多いことから、Ｇ光では分光測色計による反射率に比してＯＣＴ計測による反射率が低下し、また、パウダーファンデーションでは、紫外線吸収剤が含まれていることから、Ｂ光では分光測色計による反射率に比してＯＣＴ計測による反射率が低下していると考えられる。このように、ＲＧＢの各光でＯＣＴ計測を行い、ＯＣＴ画像を対比することによって、皮膚内部の光学特性を評価し、さらにその光学特性に影響している因子を推定することが可能となる。
【００３６】
また、図５について、（ａ）のＲ光によるＯＣＴ画像では化粧膜が厚く見え、皮膚内部が明るく見えるのは、Ｒ光は解像度が低いからという理由ではなく、この化粧膜がＲ光を皮膚内部により侵達させやすく、皮膚内の組織によりＲ光が散乱されていることによることは、次のように、光路内にある媒体の光学特性によってＯＣＴ計測の検出結果が異なることからもわかる。
【００３７】
即ち、図７に示すように、スライドガラス２１とカバーガラス２２の間に赤色のセロハンフィルム２３Ｒと緑色セロハンフィルム２３Ｇと青色セロハンフィルム２３Ｂを挟んだ参考試料２０を作製し、ＲＧＢの各低コヒーレンス光を用いて参考試料２０をＯＣＴ計測すると、図８に示すように、低コヒーレンス光の波長ごとに異なるＯＣＴ画像が得られる。図９は、このＯＣＴ計測に用いた各色セロハンフィルム２３Ｒ、２３Ｇ、２３Ｂの分光透過率曲線である。なお、この図９には、ＲＧＢ各光源のスペクトルの相対強度を重ねて表示した。
【００３８】
図８から、低コヒーレンス光としてＢ光を使用した場合、緑色セロハンフィルム２３Ｇの底面（ＬＣ）からの反射光、その下のスライドグラス２１の上面（ＵＧ）からの反射光、赤色セロハンフィルム２３Ｒの底面（ＬＣ）からの反射光、その下のスライドグラス２１の上面（ＵＧ）からの反射光が検出されていない。また、低コヒーレンス光としてＧ光を使用した場合、赤色セロハンフィルム２３Ｒの底面（ＬＣ）からの反射光、その下のスライドグラス２１の上面（ＵＧ）からの反射光が検出されていない。低コヒーレンス光としてＲ光を使用した場合、青色セロハンフィルム２３Ｂの底面（ＬＣ）からの反射光、その下のスライドグラス２１の上面（ＵＧ）からの反射光、緑色セロハンフィルム２３Ｇの底面（ＬＣ）からの反射光、その下のスライドグラス２１の上面（ＵＧ）からの反射光、赤色セロハンフィルム２３Ｒの下のスライドグラス２１の上面（ＵＧ）からの反射光が検出されていない。なお、同図においてＵＣは、各セロファンフィルムの上面を示す。
【００３９】
このように、低コヒーレンス光の波長が異なると、試料内部の光学特性によってその検出の可否が異なる。よって、図５において、（ａ）のＲ光によるＯＣＴ画像で化粧膜が厚く見え、皮膚内部が明るく見えたのは、化粧膜がＲ光を皮膚内部に侵達させ、皮膚内部の組織のＲ光の散乱能が高いためと考えられる。
【実施例】
【００４０】
以下、本発明を実施例に基づき、具体的に説明する。
【００４１】
実施例１
（１）化粧膜の付着状態の評価
図１に示したＯＣＴ画像形成装置において低コヒーレンス光としてＲ光を使用し、３０歳代女性の頬部の皮膚をウレタンに転写したレプリカの縦１ｍｍ、横１ｍｍ、深さ２００μｍの範囲をＯＣＴ計測し、三次元ＯＣＴ画像を形成した。このＯＣＴ画像を図１０（ａ）に示す。
また、そのレプリカに市販のパウダーファンデーション（Ｐ）を塗布後、同様にＯＣＴ計測して三次元ＯＣＴ画像を形成した。このＯＣＴ画像を同図（ｂ）に示す。
【００４２】
図１０（ａ）では、レプリカ表面の皮溝と皮丘の微細構造を観察することができる。また、同図（ｂ）から、皮溝にパウダーファンデーションが充填され、パウダーファンデーションの顆粒が表面に点在していること、さらにパウダーファンデーションの化粧膜により表面反射光が増大していることがわかる。
【００４３】
（２）化粧肌内部の光学特性の評価
図１０（ａ）、（ｂ）の三次元ＯＣＴ画像から横１ｍｍ、深さ２００μｍの範囲の断面を抽出して二次元ＯＣＴ画像を形成した。結果を図１１（ａ）、（ｂ）に示す。図１１（ａ）、（ｂ）から、パウダーファンデーションの化粧膜が皮膚に形成されることにより、表面反射光が増大し、皮膚内部に光が拡散伝搬していることがわかる。
Ｒ光に代えてＧ光又はＢ光を使用して同様にＯＣＴ計測し、ＯＣＴ画像を形成すると、皮膚内部への光の拡散伝搬はほとんど観察されなかった。
したがって、このパウダーファンデーションの見た目の塗布効果に、Ｒ光による拡散伝搬が大きく影響していることがわかる。
【００４４】
実施例２
２０歳代と５０歳代の女性の頬部の皮膚をウレタンに転写したレプリカに、実施例１と同じ市販のパウダーファンデーション（Ｐ）をそれぞれ同じ圧力で機械的に塗布して化粧膜を形成した。このレプリカ上の化粧膜を、図１に示したＯＣＴ画像形成装置において低コヒーレンス光としてＲ光を使用してＯＣＴ計測し、二次元ＯＣＴ画像を形成した。化粧膜形成前後のＯＣＴ画像を図１２、図１３に示す。
【００４５】
図１２、図１３から、２０歳代の化粧膜に比べて５０歳代の化粧膜は、毛穴にパウダーファンデーションの顆粒が多く偏在し、化粧膜の厚みのばらつきが大きく、化粧膜の形成前後で皮丘部分の表面形状に変化がなく、皮丘での付着量が少ないことがわかる。
【００４６】
これら化粧膜をＣＭＯＳカメラで拡大観察したところ、５０歳代の化粧膜には、２０歳代の化粧膜に比して付着ムラやパウダーファンデーションの顆粒凝集が見られ、ＯＣＴ画像の観察結果と整合した。したがって、本発明の評価方法によれば化粧膜が皮溝や皮丘にどのように分布しているかを詳細に観察することができ、例えば、塗布厚のばらつきの具体的な数値、深さ方向の光の侵達度等を計測できることがわかる。
【００４７】
実施例３
３０歳代の皮膚のレプリカと５０歳代の皮膚のレプリカに、市販のパウダーファンデーションの２種（Ｐ、Ｑ）を実施例２と同様に形成し、そのレプリカ上の化粧膜を、図１に示したＯＣＴ画像形成装置において、低コヒーレンス光としてＲ光、Ｇ光、又はＢ光を使用してＯＣＴ計測した。次いで、得られたＯＣＴ画像における縦１ｍｍ、横１ｍｍの領域について、深さ方向の干渉信号の積算強度を求めた。この結果を図１４、図１５に示す。
【００４８】
図１４、図１５から、パウダーファンデーションの種類により、化粧肌内部の散乱の強さが異なること、また、使用したパウダーファンデーションＰ、Ｑによる化粧肌内部の散乱の強さの差は、深さ１０〜２０μｍで大きくなっていること、パウダーファンデーションの塗布面の状態が３０歳代の皮膚レプリカと５０歳代の皮膚レプリカとで変わると、深さ２０μｍではパウダーファンデーションＰ、Ｑの散乱強度の大小が逆転していることがわかる。
【００４９】
実施例４
実施例３と同様にして、３０歳代の皮膚レプリカに、市販のパウダーファンデーションの２種（Ｐ、Ｑ）の化粧膜をそれぞれ形成し、化粧膜の形成前後にＯＣＴ計測し、レプリカの底面から所定の高さの位置を基点として、化粧膜形成前のレプリカ表面の凹凸の深さと、化粧膜形成後の凹凸の深さを算出した。結果を図１６、図１７に示す。
【００５０】
これらの図から、パウダーファンデーションの塗布量を算出したところ、パウダーファンデーションＰの塗布量は３．５２９７×１０6μｍ3／ｃｍ2であり、パウダーファンデーションＱの塗布量は４．２７４３×１０6μｍ3／ｃｍ2であった。
【００５１】
また、同様にして５０歳代の皮膚レプリカを用いて市販のパウダーファンデーションＰ、Ｑの化粧膜の塗布量を算出したところ、パウダーファンデーションＰの塗布量は７．１５２４×１０6μｍ3／ｃｍ2であり、パウダーファンデーションＱの塗布量は６．７３６０×１０6μｍ3／ｃｍ2であった。
これらの塗布量の算出値から、実際に塗布される単位面積当たりの化粧料の塗布量は、同じ塗布方法でも化粧料によって異なり、皮膚の表面凹凸の違いによっても異なることがわかる。
【００５２】
以上のように本発明の評価方法によれば、化粧膜の付着状態と皮膚内部の光学特性とを同時に評価し、それらの相互の関連性を含めて化粧肌を評価することができる。
【符号の説明】
【００５３】
１      化粧肌評価用ＯＣＴ画像形成装置
２      可視域の低コヒーレンス光源
３      近赤外の低コヒーレンス光源
４      光ファイバー
５      変換光学系
６      ビームスプリッター
７      対物レンズ
８      対物レンズ
９      参照鏡
１０      試料台
１１      検出器
１２      パーソナルコンピュータ
２０      参考試料
２１      スライドガラス
２２      カバーガラス
２３Ｒ    赤色セロハンフィルム
２３Ｇ    緑色セロハンフィルム
２３Ｂ    青色セロハンフィルム
【図１】
0005978599.tif 000005
【図２】
0005978599.tif 000006
【図３】
0005978599.tif 000007
【図６】
0005978599.tif 000008
【図７】
0005978599.tif 000009
【図８】
0005978599.tif 000010
【図９】
0005978599.tif 000011
【図１４】
0005978599.tif 000012
【図１５】
0005978599.tif 000013
【図１６】
0005978599.tif 000014
【図１７】
0005978599.tif 000015
【図４】
0005978599.tif 000016
【図５】
0005978599.tif 000017
【図１０】
0005978599.tif 000018
【図１１】
0005978599.tif 000019
【図１２】
0005978599.tif 000020
【図１３】
0005978599.tif 000021